(57)【要約】【課題】未再生音楽データが再生されるまでの経過に応じて、ユーザによる音楽データの選択傾向を調査してこれをデータ表示する。【解決手段】受信した音楽データを未再生の音楽データとしてサーバ４へ記録し、その未再生の音楽データが選択されるまでの経過に応じて、ユーザによる音楽データの選択傾向を表した嗜好データを作成することにより、音楽データの記録や再生を実現すると同時に、ユーザによる音楽データの選択傾向を調査してこれをデータ表示する。【選択図】  図２
2004213836.tif 000002
【特許請求の範囲】
【請求項１】
音楽データを受信する受信手段と、
上記受信した音楽データを記録するための記録媒体と、
少なくとも上記受信手段により受信された上記音楽データを未再生の音楽データとして上記記録媒体へ記録し、またユーザから選択された音楽データを上記記録媒体から転送する制御手段と、
上記転送された音楽データを再生するための再生手段とを備え、
上記制御手段は、上記未再生の音楽データが選択されるまでの経過に応じて、ユーザによる音楽データの選択傾向を表した嗜好データを作成すること
を特徴とする音楽記録再生装置。
【請求項２】
上記制御手段は、未再生の音楽データが記録媒体へ記録されてから選択されるまでの時間に基づき、上記嗜好データを作成すること
を特徴とする請求項１記載の音楽記録再生装置。
【請求項３】
上記制御手段は、上記作成した嗜好データに応じて、上記記録媒体へ記録されている音楽データを自動的に選択し、当該選択した音楽データを上記記録媒体から転送すること
を特徴とする請求項１記載の音楽記録再生装置。
【請求項４】
少なくとも上記記録媒体に記録されている未再生の音楽データに関する情報を表示するための表示手段をさらに備えること
を特徴とする請求項１記載の音楽記録再生装置。
【請求項５】
音楽データを受信する受信ステップと、
上記受信した音楽データを未再生の音楽データとして記録媒体へ記録する記録ステップと、
ユーザから選択された音楽データを上記記録媒体から再生部へ転送して再生する再生ステップとを有し、
上記再生ステップでは、上記未再生の音楽データが選択されるまでの経過に応じて、ユーザによる音楽データの選択傾向を表した嗜好データを作成すること
を特徴とする音楽記録再生方法。
【請求項６】
上記再生ステップでは、未再生の音楽データが記録媒体へ記録されてから選択されるまでの時間に基づき、上記嗜好データを作成すること
を特徴とする請求項５記載の音楽記録再生方法。
【請求項７】
上記再生ステップでは、上記作成した嗜好データに応じて、上記記録媒体へ記録されている音楽データを自動的に選択し、当該選択した音楽データを上記再生部へ転送して再生すること
を特徴とする請求項５記載の音楽記録再生方法。
【請求項８】
少なくとも上記記録媒体に記録されている未再生の音楽データに関する情報を表示すること
を特徴とする請求項５記載の音楽記録再生方法。
【発明の詳細な説明】
【０００１】
【発明の属する技術分野】
本発明は、入力される音楽データを記録して再生する音楽記録再生装置及び方法に関し、特にユーザによる音楽データの選択傾向を識別するのに好適な音楽記録再生装置及び方法に関する。
【０００２】
【従来の技術】
従来より、ＣＤ（Ｃｏｍｐａｃｔ  Ｄｉｓｃ）、ＤＶＤ（Ｄｉｇｉｔａｌ  Ｖｉｄｅｏ  Ｄｉｓｃ）等のメディアを再生可能なオーディオ機器が普及している。このためユーザは、各自入手した音楽ソフトをかかるオーディオ機器を用いて自由に鑑賞することができる。また、ＰＣ（Ｐｅｒｓｏｎａｌ  Ｃｏｍｐｕｔｅｒ）等に搭載されたハードディスク等の記録媒体に、メディアから比較的大きなサイズの音楽データを大量に記録することが可能となり、高速なランダムアクセスや複数のデータに対する記録再生の同時処理機能を活かしつつ、柔軟な記録再生動作を実現することができる。
【０００３】
このＰＣ内の記録媒体に記録された音楽データについて、再生済か未再生かを判別することにより、所望の音楽データを面倒な選択操作を経ることなく簡単かつ的確に選択して再生することができる記録データ再生装置が提案されている（例えば、特許文献１参照。）。また、記録された音楽データにつき、再生済か未再生かを確認し、これを表示部を介してユーザに通知することができる通話記録再生装置も提案されている（例えば、特許文献２参照。）。
【０００４】
【特許文献１】
特開２０００−２５１４５５号公報
【特許文献２】
特開２００１−２３６７６７号公報
【０００５】
【発明が解決しようとする課題】
ところで、近年において、インターネットやケーブルテレビ等のネットワークを用いた音楽データのオンライン配信が実用化され始めている。このような音楽データの配信システムにおいて、データ配信業者は、ネットワークのＷｅｂ上に配信すべき音楽データを提供する。また、この配信システムを利用するユーザは、自己のＰＣを用いて、コンテンツ配信業者が提供するＷｅｂ等にアクセスをして、所望の音楽データをダウンロードする。
【０００６】
しかしながら、かかる音楽データの配信システムでは、音楽データを配信するデータ配信業者は数多く存在し、またユーザは、世界規模で拡大したインターネット網から音楽データをいつでもダウンロードすることができる。このため、各ユーザのＰＣにダウンロードされる音楽データの数は著しく増加してゆく傾向にある。
【０００７】
かかる状況下において、再生済か、未再生かを判別するのみでは、所望の音楽データを正確かつ簡易に選び出して再生することが困難となる。また記録再生装置側においてこのような判別を実行するのみで、実際の音楽データの選択をユーザに対して促すのは、非常に煩雑でしかも長時間を要する作業を課すこととなり、妥当性を欠くことにもなる。
【０００８】
そこで本発明は上述した問題点に鑑みて案出されたものであり、未再生音楽データが再生されるまでの経過に応じて、ユーザによる音楽データの選択傾向を調査してこれをデータ表示することができ、さらには、かかる選択傾向に応じて音楽データを自動的に選択して再生することができる音楽記録再生装置及び方法を提供することを目的とする。
【０００９】
【課題を解決するための手段】
本発明者は、上述した問題点を解決するために、受信した音楽データを未再生の音楽データとして記録媒体へ記録し、その未再生の音楽データが選択されるまでの経過に応じて、ユーザによる音楽データの選択傾向を表した嗜好データを作成することができる音楽記録再生装置及び方法を発明した。
【００１０】
すなわち、本発明を適用した音楽記録再生装置は、音楽データを受信する受信手段と、受信した音楽データを記録するための記録媒体と、少なくとも受信手段により受信された音楽データを未再生の音楽データとして記録媒体へ記録し、またユーザから選択された音楽データを記録媒体から転送する制御手段と、転送された音楽データを再生するための再生手段とを備え、制御手段は、未再生の音楽データが選択されるまでの経過に応じて、ユーザによる音楽データの選択傾向を表した嗜好データを作成する。
【００１１】
また、本発明を適用した音楽記録再生方法は、音楽データを受信する受信ステップと、受信した音楽データを未再生の音楽データとして記録媒体へ記録する記録ステップと、ユーザから選択された音楽データを記録媒体から再生部へ転送して再生する再生ステップとを有し、再生ステップでは、未再生の音楽データが選択されるまでの経過に応じて、ユーザによる音楽データの選択傾向を表した嗜好データを作成する。
【００１２】
【発明の実施の形態】
以下、本発明の実施の形態について図面を参照しながら詳細に説明する。
【００１３】
本発明に係る音楽記録再生装置１は、例えば図１に示すような音楽配信システム１０に適用される。この音楽配信システム１０は、インターネット網等の公衆通信網８に接続されるサーバ４と、当該公衆通信網８に対して、それぞれインターネットサービスプロバイダ（以下、ＩＳＰという。）７を介して接続される家庭内ＬＡＮ（Ｌｏｃａｌ  Ａｒｅａ  Ｎｅｔｗｏｒｋ）５、さらには家庭内ＬＡＮ５に接続される音楽記録再生装置１とを備えている。
【００１４】
家庭内ＬＡＮ５は、個人の家屋である建物３の内部に配設され、少なくとも建物３内に設置された音楽記録再生装置１との高速通信を可能とするネットワークである。
【００１５】
音楽記録再生装置１は、例えば、図示しないネットワークと接続するためのモデムを備えたＰＣ（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔ）等であり、公衆通信網８から家庭内ＬＡＮ５を経て音楽データを受信し、これを自身のハードディスク（ＨＤＤ）内に格納する。音楽記録再生装置１は、自身のＨＤＤ内に格納した音楽データを再生させ、更には当該音楽データを家庭内ＬＡＮ５を通じて図示しない他の電子機器等へ出力する。さらにこの音楽記録再生装置１は、自身のハードディスク内に格納した音楽データを、家庭内ＬＡＮ５を通じて公衆通信網８へ送信することも可能である。なお、この音楽記録再生装置１の構成の詳細については後述する。
【００１６】
公衆通信網８は、例えば、家庭内ＬＡＮ５と電話回線を介して接続されるインターネット網に加えて、携帯電話と接続される移動体通信網（Ｍｏｂｉｌｅ  Ｎｅｔｗｏｒｋ）、ＴＡ／モデムと接続されるＩＳＤＮ（Ｉｎｔｅｇｒａｔｅｄ  Ｓｅｒｖｉｃｅｓ  Ｄｉｇｉｔａｌ  Ｎｅｔｗｏｒｋ）／Ｂ（ｂｒｏａｄｂａｎｄ）−ＩＳＤＮ，ＳＴＢと接続される衛星通信網（Ｂｒｏａｄｃａｓｔｉｎｇ）等である。また公衆通信網８に接続されるサーバ４は、例えばインターネット情報を管理し、音楽記録再生装置１による要求を受けて、自身に格納してある所定の情報を送信する。サーバ４は、音楽提供サービスをも管理し、音楽記録再生装置１による要求を受けて、自身に格納してある所定の音楽データを送信する。ちなみに、この送信する音楽データは、例えばＭＰ３（ＭＰＥＧ−１  Ａｕｄｉｏ  Ｌａｙｅｒ３）規格に基づいて構成される音声ファイルである。
【００１７】
このような音楽配信システム１０において、音楽データのダウンロードを望むユーザは、コンテンツ配信業者が提供するＷｅｂ等にアクセスし、所定のダウンロード操作を実行することにより、これを実現することができる。
【００１８】
次に、本発明を適用した音楽記録再生装置１の構成について図２を用いて説明をする。
【００１９】
この音楽記録再生装置１は、図２に示すように、音楽データを家庭内ＬＡＮ５を介して送受信する送受信部１１と、この送受信部１１から供給される音楽データを内部データバス２１へ出力する通信部１２と、内部データバス２１にそれぞれ接続されるＨＤＤ１３及びサウンドコントロール部１４と、当該内部データバス２１を介して各部の処理動作を制御するバスコントローラ１５と、バスコントローラ１５及び内部データバス２１を介して制御信号を送信するＣＰＵ（Ｃｅｎｔｒａｌ  Ｐｒｏｃｅｓｓｉｎｇ  Ｕｎｉｔ）１６と、サウンドコントロール部１４に接続されるスピーカ１７と、ＣＰＵ１６に接続される表示部１８及び操作キー１９とを備えている。
【００２０】
送受信部１１は、家庭内ＬＡＮ５と有線通信により各種情報を送受信するための有線ネットケーブル、或いは、その家庭内ＬＡＮ５と無線通信により各種情報を送受信するための無線ＬＡＮカード等である。ちなみに、この送受信部１１において、送信機能はあくまで必須でなく、受信機能のみ備えるものであってもよい。
【００２１】
通信部１２は、通信インターフェース等を備え、家庭内ＬＡＮ５と、送受信部１１との音楽データの送受信を制御する。この通信部１２は、音楽データの送受信を、例えばインターネット上でのデータ転送のためのインターフェースを提供するＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等を用いて実現してもよい。
【００２２】
ＨＤＤ１３は、接続された内部データバス２１を介して、音楽データを受け取り、これを所定のアドレスへ記録する。各音楽データを記録するためのアドレスの指定は、後述するＣＰＵ１６により実行される。なお、このＨＤＤ１３は、音楽データを記録することができる記録媒体であれば、いかなる形態であってもよい。
【００２３】
サウンドコントロール部１４は、内部データバス２１を介して転送される音楽データについて、それぞれ楽音信号を生成して、これを出力する。なお、このサウンドコントロール部１４において複数チャンネルで楽音信号を同時に発生させる場合には、１つの回路を時分割で使用してもよいし、また１つの発音チャンネルを１つの回路で構成してもよい。なお、サウンドコントロール部１４から出力された楽音信号は、スピーカ１７へ供給されて音声出力されることになる。
【００２４】
バスコントローラ１５は、ＣＰＵ１６から送信される制御信号に基づき、内部データバス２１における各種データの入出力を制御するためのデバイスである。
【００２５】
ＣＰＵ１６は、バスコントローラ１５に対して制御信号を送信することにより、音楽記録再生装置１全体を制御する中央演算ユニットであり、実行すべき制御プログラムを格納する図示しないＲＯＭ、及びデータの蓄積や展開等に使用する作業領域としての図示しないＤＲＡＭに接続される。また、このＣＰＵ１６は、操作キー１９の操作に応じて各種制御用の指令をバスコントローラ１５を介して伝達し、或いは演奏経過時間や再生している音楽データのタイトル等の文字情報を表示部１８へ表示させる。
【００２６】
このＣＰＵ１６は、通信部１２が音楽データを受信した場合に、内部データバス２１及びバスコントローラ１５を介してこれを識別する。また、このＣＰＵ１６は、かかる音楽データを、未だ再生されていない未再生音楽データとしてＨＤＤ１３へ記録するように制御する。なおＣＰＵ１６は、この未再生音楽データをＨＤＤ１３へ記録する場合において、例えば未再生であることを示す識別子を付加しつつＨＤＤ１３へ記録してもよい。
【００２７】
またＣＰＵ１６は、例えば操作キー１９を介して、再生、早送り、巻き戻し、一時停止等の操作が行われた場合において、これらの動作を実現できるような制御信号を生成してバスコントローラ１５を介して送信する。例えばユーザより音楽データが選択された場合において、ＣＰＵ１６は、ＨＤＤ１３にその再生可能な音楽データが存在するときには、当該音楽データをＨＤＤ１３からサウンドコントロール部１４へ転送する旨の制御信号をバスコントローラ１５を介して送信する。これにより、ユーザより選択された音楽データの再生が容易に実現されることになる。このＣＰＵ１６は、操作キー１９を介して、例えば１曲リピートや全曲リピート、或いはシャッフル等の操作が行われた場合も同様に、これらの動作を実現できるような制御信号を生成し、バスコントローラ１５を介して送信する。
【００２８】
また、ＣＰＵ１６は、ＨＤＤ１３に記録されている音楽データのうち、未再生音楽データの存在の有無を判別し、かかる判別した結果を表示部１８を介して表示してもよい。ちなみに、この判別は、ユーザから操作キー１９を介して命令されて実行される場合のみならず、ＣＰＵ１６が定期的に実行してもよい。ＣＰＵ１６は、ＨＤＤ１３に記録されている未再生音楽データのうち、先に記録されたものから順に再生してもよい。
【００２９】
さらに、このＣＰＵ１６は、ＨＤＤ１３に記録されている未再生音楽データを常に監視し、この未再生音楽データがユーザより選択されるまでの経過に応じて、ユーザによる音楽データの選択傾向を調査する。このとき、ＣＰＵ１６は、かかるユーザの選択傾向につきデータ表示した嗜好データを作成するようにしてもよい。
【００３０】
表示部１８は、例えば液晶表示素子からなり、ユーザに対して例えば音楽データに関する情報を表示するための液晶ディスプレイを構成する。また操作キー１９は、表示部１８による表示内容を視認したユーザが音楽記録再生装置１に対して所定の操作を実行するためのインターフェースである。なお表示部１８は、ＣＰＵ１６による制御に基づき、ＨＤＤ１３に記録されている音楽データに関する情報をリスト化して表示してもよい。このとき表示部１８は、かかる音楽データに関する情報を未再生音楽データのみ分類して表示してもよい。
【００３１】
次に、本発明を適用した音楽記録再生装置１の動作について図３を用いて説明をする。
【００３２】
先ずステップＳ１１において、送受信部１１が新たな音楽データを受信した場合には、ステップＳ１２へ移行する。一方、音楽記録再生装置１が、送受信部１１を介して新たな音楽を受信することなく、ユーザにより操作されている場合には、ステップＳ１３へ移行する。
【００３３】
ステップＳ１２において、ＣＰＵ１６は、この新たに受信した音楽データを未再生音楽データとしてＨＤＤ１３へ記録する。このようにＨＤＤ１３に記録された未再生音楽データに関する情報は、例えば図４に示す”Ｆｉｌｅ３”，”Ｆｉｌｅ４”の如く、未再生音楽データリストの一部として、表示部１８を介して表示されることになる。ユーザは、かかる表示を視認し、演奏順序を決定するための有用な情報として活用することができる。また、未再生音楽データを一つのグループとみなすことにより、ＣＰＵ１６が自動的に演奏順序を決定する際の便宜を図ることも可能となる。
【００３４】
ちなみにこのステップＳ１２において、少なくとも１回再生された再生済音楽データのみがＨＤＤ１３に記録されていた状態で、新たに音楽データを受信した場合には、表示部１８を介して”新着データ有り”と表示することにより、ユーザに注意を促してもよい。これにより、ユーザは、再生済音楽データのみならず、新たに受信した未再生音楽データの存在を確認することができる。
【００３５】
次にステップＳ１３において、操作キー１９を介してユーザにより音楽データが選択された場合に、ＣＰＵ１６は、当該選択された音楽データをサウンドコントロール部１４へ転送する。転送された音楽データは、スピーカ１７を介して音声出力されることになる。ちなみに、このステップＳ１３において、ユーザにより音楽データが選択されなかった場合には、ステップＳ１６へ移行する。
【００３６】
ステップＳ１３において音楽データの再生が実行された場合には、ステップＳ１４へ移行する。このときＣＰＵ１６は、ステップＳ１３において選択された音楽データについて、再生済音楽データであるか、或いは未再生音楽データであるか判別する。ＣＰＵ１６により、再生済音楽データが選択されたものと判別された場合には、ステップＳ１６へ移行する。一方、ＣＰＵ１６により、未再生音楽データが選択されたものと判別された場合には、ステップＳ１５へ移行する。
【００３７】
ステップＳ１５において、ＣＰＵ１６は、選択された未再生音楽データを、再生済音楽データに書き換える。これにより、ユーザから選択された未再生音楽データは、ＨＤＤ１３から削除され、新たに再生済音楽データとして記録されることになる。ちなみに再生済音楽データへの書き換えを終了させた後に、ステップＳ１６へ移行する。
【００３８】
ステップＳ１６において、ＣＰＵ１６は、ＨＤＤ１３に記録されている音楽データのうち、未再生音楽データの有無を判別する。その結果、ＣＰＵ１６により未再生音楽データが存在するものと判別された場合にはステップＳ１２へ移行する。一方、ＣＰＵ１６により未再生音楽データの存在が判別されない場合には、ステップＳ１７へ移行する。
【００３９】
ステップＳ１７において、ＣＰＵ１６は、表示部１８に表示されている未再生音楽データに関する情報を消去する。図４に示す例では、未再生音楽データリストに掲げられている”Ｆｉｌｅ３”，”Ｆｉｌｅ４”の表示を削除することになる。すなわち、ステップＳ１６において未再生音楽データの数は、０であるものと判別されているため、表示部１８には、再生済音楽データのみ表示されるように制御される。これによりユーザは、音楽記録再生装置１内において、再生済音楽データのみ存在することを容易に確認することができる。
【００４０】
すなわち本発明では、世界規模で拡大したインターネット網から音楽データをいつでもダウンロードできる昨今においても、音楽データを再生済か、或いは未再生か分類してＨＤＤ１３へ記録することにより、ユーザ側で一度も鑑賞することなく誤って消去してしまう危険性を減らすことができる。また未再生音楽データのみを意図的に選んで消去する際にも、未再生音楽データのみを削除対象としてリストアップし、これにつき表示部１８を介してユーザに通知することにより、労力の負担を軽減させることが可能となる。
【００４１】
なお、表示部１８における音楽データ情報の表示は、図４に示される形態に限定されるものではなく、例えばステップＳ１２において、未再生音楽データに関する情報のみ点灯させてユーザに注意を促し、ステップＳ１７において、未再生音楽データに関する情報を消灯させることにより、未再生音楽データの不存在を通知してもよい。
【００４２】
次に、ＣＰＵ１６による嗜好データの作成方法について図５を用いて説明をする。
【００４３】
先ずステップＳ２１において、ＣＰＵ１６は、ＨＤＤ１３内に未再生音楽データが存在するか否か確認する。その結果、未再生音楽データの存在がＣＰＵ１６により確認された場合のみ、ステップＳ２２へ移行する。
【００４４】
ステップＳ２２において、ＣＰＵ１６は、ＨＤＤ１３に記録されている未再生音楽データを常に監視する。このとき、ＣＰＵ１６は、単一の未再生音楽データのみならず、複数の未再生音楽データを同時に監視してもよい。そして、監視されている未再生音楽データにつき、上述したステップＳ１３と同様にユーザから選択された場合には、ステップＳ２３へ移行する。なお、未再生音楽データがユーザにより選択された場合のみならず、選択された未再生音楽データの再生開始時にステップＳ２３へ移行するようにしてもよい。ちなみに、監視されている未再生音楽データが選択されなかった場合には、ステップＳ２４へ移行する。
【００４５】
ステップＳ２３において、ＣＰＵ１６は、ステップＳ２２にて選択された未再生音楽データにつき、ＨＤＤ１３へ記録されてから選択されるまでの時間をカウントし、その選択されるまでの時間が短い場合のみ、ステップＳ２４へ移行する。
【００４６】
ステップＳ２４において、ＣＰＵ１６は、選択された未再生音楽データに基づき、嗜好データを作成する。ＨＤＤ１３へ記録されてから選択されるまでの時間が短い未再生音楽データは、ユーザの好みの音楽であると考えられるため、ＣＰＵ１６は、選択された未再生音楽データに付随するジャンル、アーティスト名等の情報を加味しつつ、嗜好データを作成することができる。すなわち本発明では、未再生音楽データが選択されるまでの時間を一つのパラメータとして、ユーザによる音楽データの選択傾向を調査し、これをデータ表示することができる。
【００４７】
一方、ステップＳ２５においても、監視している音楽データにつき、ＨＤＤ１３へ記録されてから現在までの時間をカウントする。その結果、ＨＤＤ１３へ記録されてから一定時間経過した未再生音楽データが存在する場合のみステップＳ２６へ移行する。
【００４８】
ステップＳ２６において、選択された未再生音楽データを別途嗜好データとして作成する。すなわち、ＨＤＤ１３へ記録されてから、ある一定時間経過したにも拘わらず、選択されない未再生音楽データは、ユーザの好みの音楽でないものと考えられる。本発明では、かかるユーザによる音楽データの選択傾向をも踏まえて、これを嗜好データとして作成することができる。すなわち、本発明に係る音楽記録再生装置１により作成される嗜好データは、ユーザの好みの音楽データと、それ以外の音楽データに大きく分類されることになる。
【００４９】
以上詳細に説明したように、本発明を適用した音楽記録再生装置１は、受信した音楽データを未再生の音楽データとして記録媒体へ記録し、その未再生の音楽データが選択されるまでの経過に応じて、ユーザによる音楽データの選択傾向を表した嗜好データを作成する。これにより、音楽データの記録や再生を実現すると同時に、ユーザによる音楽データの選択傾向を調査してこれをデータ表示することができる。
【００５０】
また、本発明では、この作成した嗜好データを、他のデータと分けてＨＤＤ１３へ記録し、或いは別途フォルダ内に物理的に格納することも可能となる。これによりユーザは、フォルダ単位でかかる嗜好データを簡単に整理することができ、さらにはフォルダ単位でかかる嗜好データを他の端末へ送信することで、これを便宜的に利用することもできる。
【００５１】
また本発明を適用した音楽記録再生装置１では、この作成した嗜好データを表示部１８を介して表示することにより、ユーザ自身に対して、自らの音楽データの選択傾向を認識させることができ、ユーザの意志に基づく未再生音楽データの整理を効率よく実行させることができる。なお本発明では、ＨＤＤ１３に記録されている未再生音楽データを、作成した嗜好データに応じてＣＰＵ１６が自動的に整理してもよい。
【００５２】
また本発明では、ＨＤＤ１３へ記録されている音楽データを嗜好データに応じて自動的に選択し、当該選択した音楽データをＨＤＤ１３から転送するようにしてもよい。これにより、ユーザの好みの音楽から優先的に再生させることも可能となるため、非常に煩雑でしかも長時間を要する音楽データの選択操作を簡略化させることができる。
【００５３】
また本発明では、上述したステップＳ２３において、選択された未再生音楽データにつき、ＨＤＤ１３へ記録されてから、選択されるまでの時間に応じて、ユーザの好みを複数段階に分類して嗜好データを作成してもよい。これにより、未再生音楽データが選択されるまでの時間を細かく分割することにより、ユーザの好みを精度よく分析して、これをデータ表示することも可能となる。
【００５４】
さらに本発明は、上述した実施の形態に限定されるものではない。例えば嗜好データを作成する際に、どの未再生音楽データを最初に選択したか、ＨＤＤ１３に記録されている未再生音楽データをどの順序で選択したか、或いはＨＤＤ１３に記録されている未再生音楽データの数に対するユーザの選択傾向等を踏まえて、嗜好データを作成するようにしてもよい。換言すれば、未再生の音楽データが選択されるまでの経過に応じて、嗜好データを作成すれば、いかなる方法であってもよい。
【００５５】
【発明の効果】
以上詳細に説明したように、本発明に係る音楽記録再生装置及び方法は、受信した音楽データを未再生の音楽データとして記録媒体へ記録し、その未再生の音楽データが選択されるまでの経過に応じて、ユーザによる音楽データの選択傾向を表した嗜好データを作成する。これにより、音楽データの記録や再生を実現すると同時に、ユーザによる音楽データの選択傾向を調査してこれをデータ表示することができる。
【図面の簡単な説明】
【図１】本発明が適用される音楽配信システムの構成図である。
【図２】本発明を適用した音楽記録再生装置１の構成図である。
【図３】本発明を適用した音楽記録再生装置の動作を示すフローチャートである。
【図４】表示部を介して表示される音楽データのリストについて説明するための図である。
【図５】嗜好データの作成方法について説明するためのフローチャートである。
【符号の説明】
１  音楽記録再生装置、３  建物、４  サーバ、５  家庭内ＬＡＮ、７  ＩＳＰ、８  公衆通信網、１０  音楽配信システム、１１  送受信部、１２  通信部、１３  ＨＤＤ、１４  サウンドコントロール部、１５  バスコントローラ、１６  ＣＰＵ、１７  スピーカ、１８  表示部、１９  操作キー、２１  内部データバス
【図１】
2004213836.tif 000003
【図２】
2004213836.tif 000004
【図３】
2004213836.tif 000005
【図４】
2004213836.tif 000006
【図５】
2004213836.tif 000007